(57)【要約】【課題】  本発明は４輪車を畝間溝内を走行させる方式であって、４輪車座乗作業者が両足で溝面を蹴って溝に沿って移動し畝幅上の苺等を籠に収容し、採取作業能率を倍増し苺の収量を増加することを目的とする。【解決手段】  後向２股１の後端両側に後輪５，５を遊支し、上記２股１の前端に角パイプ２を前方に接続し、該角パイプ２の前部に設けた下向２股４の下端内側又は下端両側に前輪８，８を遊支して３輪車又は４輪車９を形成し、上記後向２股１と上記角パイプ２との接続部に腰掛け１１を設け、上記後向２股１上、上記角パイプ２の中程上及び上記角パイプ２の前端部上に収穫用籠１２置き部１４を形成してなり、かつ上記後向２股１及び上記角パイプ２が前方に向って上向きに傾斜してなる苺収穫車。【選択図】図１
2008131858.tif 000002
【特許請求の範囲】
【請求項１】
後向２股の後端両側に後輪を遊支し、上記２股の前端に角パイプを前方に接続し、該角パイプの前部に設けた下向２股の下端内側又は下端両側に前輪を遊支して３輪車又は４輪車を形成し、
上記後向２股と上記角パイプとの接続部に腰掛けを設け、
上記後向２股上、上記角パイプの中程上及び上記角パイプの前端部上に収穫用籠置き部を形成してなり、
かつ上記後向２股及び上記角パイプが前方に向って上向きに傾斜してなる苺収穫車。
【請求項２】
上記接続部において上記角パイプを伸縮及び着脱自在に形成した請求項１記載の苺収穫車。
【請求項３】
上記後輪及び前輪の両側車輪幅がそれぞれ畝間溝より小である請求項１又は２記載の苺収穫車。
【発明の詳細な説明】
【技術分野】
【０００１】
本発明はビニールハウス内に形成した複数の平行畝による輔場に植生した苺の実の収穫や枯葉の採取搬出に適した苺収穫車に関するものである。
【背景技術】
【０００２】
従来、畝の跨架走行方式の苺収穫車が考案された（例えば特許文献１、２、３、４）。
【０００３】
苺を植生した畝を跨ぐ従来の苺収穫車は車幅が拡大し、大形化して走行操作が不便であって畝幅の半分の植生苺や枯葉を摘採し得るが、走行に際し畝幅全幅の苺又は枯葉の摘採は困難であって収穫率又は枯葉採取率を向上し難く、
【０００４】
かつ隣接畝に移設する作業を簡便に行い難いという問題があった。
【特許文献１】特開平０５−１８４２０７号
【特許文献２】特開平０６−１２１６０４号
【特許文献３】特開２００１−２５８３１３号
【特許文献４】特開２００１−２６９０１６号
【発明の開示】
【発明が解決しようとする課題】
【０００５】
本発明は４輪車を畝間溝内を走行させる方式であって、４輪車座乗作業者が両足で溝面を蹴って溝に沿って移動し畝幅上の苺等を籠に収容し、採取作業能率を倍増し苺の収量を増加することを目的とする。
【課題を解決するための手段】
【０００６】
上記の目的を達成するため本発明は
第１に後向２股の後端両側に後輪を遊支し、上記２股の前端に角パイプを前方に接続し、該角パイプの前部に設けた下向２股の下端内側又は下端両側に前輪を遊支して３輪車又は４輪車を形成し、上記後向２股と上記角パイプとの接続部に腰掛けを設け、上記後向２股上、上記角パイプの中程上及び上記角パイプの前端部上に収穫用籠置き部を形成してなり、かつ上記後向２股及び上記角パイプが前方に向って上向きに傾斜してなる苺収穫車、
第２に上記接続部において上記角パイプを伸縮及び着脱自在に形成した上記第１発明記載の苺収穫車、
第３に上記後輪及び前輪の両側車輪幅がそれぞれ畝間溝より小である上記第１又は第２発明記載の苺収穫車、
によって構成される。
【０００７】
従って上記後輪及び前輪による４輪車を畝間溝上に溝の方向に支持し、
【０００８】
腰掛けに作業者が腰を下し、両足で溝面を蹴って３又は４輪車を溝の方向に後向きに移動させることができる。
【０００９】
上記４輪車を停止し、上記作業者が腰掛けに腰を下ろしたまま、左右の畝上に実った苺を畝幅の１／２幅だけ摘み取って角パイプの中程に置かれた収穫用籠内に収容し得る。即ち左右の畝それぞれ１／２幅を摘み取ることができるため、左右で
１／２幅×２＝１幅
分を収穫することができる。
【発明の効果】
【００１０】
従って本発明では畝間溝を１度走行するのみで、１列の畝幅の実質全幅の苺を摘採し得て摘採効率を倍増し得る効果がある。
【００１１】
又枯葉の採取量を向上し、苺の収容を増加し得る効果がある。
【発明を実施するための最良の形態】
【００１２】
水平短杆１’に後向２股杆１”，１”を１体に接続して後向２股１を形成し、該水平短杆１”の中央前端に１個の前向拡径短角パイプ２’を溶着し、
【００１３】
該前向拡径端角パイプ２’に１個の小径角パイプ２”の後端部を摺動自在に、かつ着脱自在に嵌合し、挿通ボルト３で両パイプ２’，２”を１個の角パイプ２として接続することができる。
【００１４】
上記角パイプ２の前部には下向２股４を溶着し、
【００１５】
上記後向２股１の後端両側に後輪５，５を水平軸６により遊支し、下向２股４の下端内側又は下端両側に水平軸７により前輪８を遊支して３又は４輪車９を形成する。
【００１６】
上記後向２股１と上記１個の角パイプ２とは同一平面内に支持され前方に向って上向に若干傾斜し、
【００１７】
後輪５，５の径を大に、前輪８の径を小に形成し又は前輪８を１輪とすることができる。
【００１８】
後向２股１の上面には前部の水平短杆１’に溶着した傾斜杆１ａ，１ａと後向２股杆１”，１”の中程に溶着した門形杆１ｂとを１体に接続し、該門形杆１ｂの上端から後方に向う水平支持杆１ｃ，１ｃと２股杆１”，１”の後端とを支持杆１ｄ，１ｄで接続して、上記後向２股１上に１体の支持台１０を形成する。
【００１９】
そして上記後向２股１の前端水平短杆１’と、前向拡径短角パイプ２’及び上記傾斜杆１ａ，１ａには弯曲板による腰掛け１１を形成する。
【００２０】
さらに上記後向２股１上の上記１０に収穫用籠１２を重ね置く側枠１３，１３を設け、該籠１２の置き部１４を形成する。
【００２１】
又上記小径角パイプ２”の中程に昇降調節自在の起立杆１５を設け、該起立杆１５上に長方形支持枠１６を設け、該枠１６を収穫用籠１２の置き部１４とするようになっている。
【００２２】
又上記小径角パイプ２”の前部上に側枠１３，１３を設け収穫用籠１２の置き部１４を形成する。
【００２３】
苺の収穫用籠１２は高さ７〜８ｃｍの平坦かごであるが摘採枯葉収容籠（図示していない）は高さ２０〜３０ｃｍの深い籠が用いられ、上記置き部１４に置かれる。
【００２４】
上記後輪５，５及び前輪８，８のそれぞれ車輪幅Ｔは畝ｓ，ｓ間の溝ｍの幅より小に形成される。
【００２５】
従って図１に示すように腰掛け１１に作業者１７が座り、両足１７’，１７’で溝ｍの上面を後方に向って押すと、後輪５，５が体重の大部分を支持して後方（矢印Ａ方向）に移動し、
【００２６】
前輪８，８は体重の一部を支持し何れも後方に従動する。
【００２７】
この４輪車９を停止して図２に示す両側の畝ｓ，ｓの畝幅ｔの半分の苺ｅを採取し、上記中程の収容籠１２に収穫する。
【００２８】
苺ｅを収容した上記中程の収容籠１２を前部置き部１４に移し替え、後部の空の収容籠１２を上記中程の置き部１４に移載し、該収容籠１２に苺ｅを摘採する動作を繰返しながら畝ｓ，ｓ間の溝ｍの始端部から終端部に移動した後、前部の収容籠１２を取卸す。
【００２９】
上記角パイプ２を伸縮して作業者１７の脚の長さに調整することができ、上記角パイプ２”，２”を前後２個に分離することによって４輪車９を前後２部に分解し、その状態で収穫終了後の畝ｓ，ｓ間の溝ｍから次の畝間溝ｍに分解搬入し、該４輪車９を組立てて次の溝ｍにおいて上述同様の苺収穫作業を行うことができる。
【００３０】
苺ｅの収穫は苺ｅが稔った都度何回でも同一溝ｍを利用して約６ヶ月程度（前年の１１月〜翌年の５月）行われるので溝ｍには前後車輪５，５及び８，８の轍ｗ，ｗ（図３）が形成され、既成轍ｗ，ｗをレールとして前後輪５，８を案内走行させることができる（図３）。
【００３１】
又作業者１７の体重及び後向走行力によって、後輪５，５を中心として車体の前部及び前輪８，８が溝ｍ上方に浮上するおそれがなく軽くかつ安定して後方に走行することができる。
【産業上の利用可能性】
【００３２】
本願は畝ｓ，ｓ間の狭い溝ｍを安定的に軽く走行させ得るばかりでなく、上記溝ｍの１回走行で左右両側の畝ｓ，ｓ上の苺ｅや枯葉ｆを長期間に亘り、両側の畝ｓの１／２幅×２＝１畝を溝ｍの１回走行で収穫し得て収穫能率を向上させ、かつ枯葉の散乱を防止し、苺ｅの増収をはかることができる。
【図面の簡単な説明】
【００３３】
【図１】図１は本発明の苺収穫車を示す側面図である。
【図２】図１を左方から見た正面図である。
【図３】既成轍及び図１を右方から見た背面図である。
【図４】図１の斜視図である。
【図５】図１の平面図である。
【図６】図５の側面図である。
【図７】本発明の３輪車の斜視図である。
【符号の説明】
【００３４】
１          後向２股
２          角パイプ
４          下向き２股
５          後輪
８          前輪
９          ４輪車
１１        腰掛け
１２        収穫用籠
１４        置き部
【図１】
2008131858.tif 000003
【図２】
2008131858.tif 000004
【図３】
2008131858.tif 000005
【図４】
2008131858.tif 000006
【図５】
2008131858.tif 000007
【図６】
2008131858.tif 000008
【図７】
2008131858.tif 000009